(57)【要約】      （修正有）【課題】液漏れの恐れなく手摺の殺菌を可能にし、利用者に殺菌処理を認識させることで手摺を掴むことを促す、乗客コンベアの手摺ベルト殺菌装置を提供する。【解決手段】乗客コンベアの手摺ベルト殺菌装置は、乗客コンベアのスカートガードの内部に設けられ、前記スカートガードの内部を走行する手摺ベルトの表面を殺菌する殺菌部と、前記殺菌部による殺菌に基づく情報を報知する報知部と、前記乗客コンベアの運行速度情報を取得し、運行速度ごとに前記殺菌部による殺菌および前記報知部による報知を制御する制御部と、前記殺菌部による殺菌に基づく時間を取得するタイマーと、を具備し、前記制御部は、前記タイマーが取得した前記時間を前記報知部により報知させる。【選択図】図２
2019052021.tif 000002
【特許請求の範囲】
【請求項１】
乗客コンベアのスカートガードの内部に設けられ、前記スカートガードの内部を走行する手摺ベルトの表面を殺菌する殺菌部と、
前記殺菌部による殺菌に基づく情報を報知する報知部と、
前記乗客コンベアの運行速度情報を取得し、運行速度ごとに前記殺菌部による殺菌および前記報知部による報知を制御する制御部と、
を具備する、乗客コンベアの手摺ベルト殺菌装置。
【請求項２】
前記制御部は、前記乗客コンベアの通常運行速度より非通常運行速度の状態に基づいて、前記殺菌部による殺菌および前記報知部による報知を制御する、
請求項１に記載の乗客コンベアの手摺ベルト殺菌装置。
【請求項３】
前記殺菌部による殺菌に基づく時間を取得するタイマーを更に具備し、
前記制御部は、前記タイマーが取得した前記時間を前記報知部により報知させる、
請求項１または請求項２に記載の乗客コンベアの手摺ベルト殺菌装置。
【請求項４】
前記殺菌部は深紫外線ＬＥＤモジュールを具備し、前記スカートガードの上階側の先端部または下階側の先端部の少なくともいずれかに設けられている、
請求項１乃至請求項３のいずれか１項に記載の乗客コンベアの手摺ベルト殺菌装置。
【請求項５】
前記殺菌部は深紫外線ＬＥＤモジュールを具備し、前記スカートガードの上階側の先端部または下階側の先端部の内、前記手摺ベルトの出口側に設けられている、
請求項１乃至請求項３のいずれか１項に記載の乗客コンベアの手摺ベルト殺菌装置。
【請求項６】
前記報知部は、前記殺菌部による殺菌に基づいて、前記スカートガードに設けられたスピーカにより、音声にて殺菌の情報を報知する、
請求項１乃至請求項５のいずれか１項に記載の乗客コンベアの手摺ベルト殺菌装置。
【請求項７】
前記報知部は、前記殺菌部による殺菌に基づいて、前記スカートガードに設けられた表示パネルにより、殺菌の情報を報知する、
請求項１乃至請求項５のいずれか１項に記載の乗客コンベアの手摺ベルト殺菌装置。
【請求項８】
前記報知部は、前記殺菌部による殺菌が行われているときに、前記スカートガードに設けられたＬＥＤランプの点灯により、殺菌中であることを報知する、
請求項１乃至請求項５のいずれか１項に記載の乗客コンベアの手摺ベルト殺菌装置。
【請求項９】
前記報知部は、前記殺菌部による殺菌に基づいて、前記スカートガードのインレット部から下方に設けられた表示パネルにより、殺菌の情報を報知する、
請求項１乃至請求項５のいずれか１項に記載の乗客コンベアの手摺ベルト殺菌装置。
【請求項１０】
乗客の有無により運行速度を制御することが可能である乗客コンベアであって、
前記運行速度ごとに、スカートガードの内部を走行する手摺ベルトの表面を深紫外線ＬＥＤモジュールにより殺菌する殺菌処理と、
前記殺菌処理に基づく情報を報知する報知処理と、
を前記運行速度に基づいて、制御する乗客コンベア。
【請求項１１】
前記殺菌処理に基づく時間を取得する時刻情報取得処理を更に有し、
前記報知処理にて、前記時刻情報取得処理にて取得した時間を報知する、
請求項１０に記載の乗客コンベア。
【請求項１２】
前記報知処理は、前記スカートガードに設けたられたスピーカによる音声の報知、前記スカートガードに設けたられた表示パネルによる報知、前記スカートガードに設けたられたＬＥＤランプによる報知、前記スカートガードのインレット部から下方に設けられた表示パネルによる報知、の少なくともいずれかの処理による、
請求項１０または請求項１１に記載の乗客コンベア。
【発明の詳細な説明】
【技術分野】
【０００１】
本発明の実施形態は、乗客コンベアの手摺ベルト殺菌装置および乗客コンベアに関する。
【背景技術】
【０００２】
従来、乗客コンベアの手摺を清掃する際は、雑巾掛けによる清掃が行なわれていた。雑巾掛けによる手摺の清掃では、手摺の殺菌まではできないため、利用者が手摺に触れることを避ける場合があった。そこで、深紫外線ＬＥＤモジュールによる深紫外線の照射による手摺の殺菌および、薬品の塗布による手摺の殺菌が提案されている（例えば特許文献１）。
【０００３】
しかし、深紫外線ＬＥＤモジュールの他に、薬品を乗客コンベア内に搭載する必要があり、メンテナンス時の点検項目の増加による作業性の悪化という問題があった。また、薬品の塗布による手摺の殺菌には、液漏れの恐れがあるという問題がある。
【先行技術文献】
【特許文献】
【０００４】
【特許文献１】特開２０１６−１４１５５１号公報
【発明の概要】
【発明が解決しようとする課題】
【０００５】
本発明が解決しようとする課題は、液漏れの恐れなく手摺の殺菌を可能にし、利用者に殺菌処理を認識させることで手摺を掴むことを促す、乗客コンベアの手摺ベルト殺菌装置を提供する。
【課題を解決するための手段】
【０００６】
上記課題を解決するため、実施形態の乗客コンベアの手摺ベルト殺菌装置は、乗客コンベアの手摺ベルト殺菌装置は、乗客コンベアのスカートガードの内部に設けられ、前記スカートガードの内部を走行する手摺ベルトの表面を殺菌する殺菌部と、前記殺菌部による殺菌に基づく情報を報知する報知部と、前記乗客コンベアの運行速度に基づいて、前記殺菌部による殺菌および前記報知部による報知を制御する制御部と、を具備する。
【０００７】
上記課題を解決するため、実施形態の乗客コンベアは、乗客の有無により運行速度を制御することが可能である乗客コンベアであって、スカートガードの内部を走行する手摺ベルトの表面を殺菌する殺菌処理と、前記殺菌処理に基づく情報を報知する報知処理と、を前記運行速度に基づいて、制御をする。
【図面の簡単な説明】
【０００８】
【図１】第１の実施形態に係る乗客コンベアの側面図。
【図２】第１の実施形態に係る手摺ベルト殺菌装置の殺菌部の配置図。
【図３】第１の実施形態に係る手摺ベルト正面の断面図。
【図４】第１の実施形態に係る手摺ベルト殺菌装置の構成ブロック図。
【図５】第１の実施形態に係る手摺ベルト殺菌装置の処理のフローチャート図。
【図６】第１の実施形態の変形例に係る手摺ベルト殺菌装置の処理のフローチャート図。
【図７】第２の実施形態である乗客コンベアの報知部の図。
【図８】第３の実施形態である乗客コンベアの報知部の図。
【発明を実施するための形態】
【０００９】
以下、乗客コンベアの手摺ベルト殺菌装置の実施形態を図面に基づき説明する。
【００１０】
乗客コンベア１０の構造について、図１に基づいて説明する。図１は乗客コンベア１０を側面から見た説明図である。
【００１１】
乗客コンベア１０の枠組みであるトラス１２が、建屋１の上階と下階に跨がって支持アングル２，３を用いて支持されている。
【００１２】
トラス１２の上端部にある上階側の機械室１４内部には、踏段３０を走行させる駆動装置１８、左右一対の駆動スプロケット２４，２４、左右一対の手摺ベルトシーブ２７，２７が設けられている。駆動装置１８は、誘導電動機（インダクションモータ）よりなるモータ２０と、減速機と、この減速機の出力軸に取り付けられた出力スプロケットと、この出力スプロケットにより駆動する駆動チェーン２２と、モータ２０の回転を停止させ、かつ、停止状態を保持する電磁ブレーキとを有している。この駆動チェーン２２により駆動スプロケット２４が回転する。左右一対の駆動スプロケット２４，２４と左右一対の手摺ベルトシーブ２７，２７とは、不図示の伝達チェーンによって連結されて回転する。また、上階側の機械室１４内部には、モータ２０や電磁ブレーキなどを制御する制御部５０が設けられている。
【００１３】
トラス１２の下端部にある下階側の機械室１６内部には、従動スプロケット２６が設けられている。上階側の駆動スプロケット２４と下階側の従動スプロケット２６との間には、左右一対の無端状の踏段チェーン２８，２８が掛け渡されている。すなわち、左右一対の無端状の踏段チェーン２８，２８には、複数の踏段３０の前輪３０１が等間隔で取り付けられている。この前輪３０１はトラス１２に固定された不図示の案内レールに沿って走行する共に、駆動スプロケット２４の外周部にある凹部と従動スプロケット２６の外周部にある凹部にそれぞれ係合して上下に反転する。また、後輪３０２はトラス１２に固定された案内レール２５を走行する。
【００１４】
トラス１２の左右両側には、左右一対の欄干３６，３６が立設されている。この欄干３６の上部に手摺レール３９が設けられ、この手摺レール３９に沿って無端状の手摺ベルト３８が移動する。欄干３６の上階側の正面下部には上階側の正面スカートガード４０が設けられ、下階側の正面下部には下階側の正面スカートガード４２が設けられ、正面スカートガード４０，４２から手摺ベルト３８の出入口であるインレット部４６，４８がそれぞれ突出している。
【００１５】
欄干３６の側面下部には、スカートガード４４が設けられ、左右一対のスカートガード４４，４４の間を踏段３０が走行する。上下階のスカートガード４４の内側面には、操作盤５２，５６、スピーカ（報知部）５４，５８がそれぞれ設けられている。
【００１６】
手摺ベルト３８は、上階側のインレット部４６から正面スカートガード４０内に侵入し、複数の案内ローラからなる案内ローラ群６４を介して手摺ベルトシーブ２７に掛け渡され、その後、複数の案内ローラからなる案内ローラ群６６を介してスカートガード４４内を移動し、下階側のインレット部４８から正面スカートガード４２外に表れる。そして、手摺ベルト３８は、手摺ベルトシーブ２７が駆動スプロケット２４と共に回転することにより踏段３０と同期して移動する。また、回転する手摺ベルトシーブ２７に走行する手摺ベルト３８を押圧するための複数の押圧ローラからなる押圧ローラ群６８を有する。
【００１７】
上階側の左右一対のスカートガード４４，４４の乗降口であって、機械室１４の天井面には、上階側の乗降板３２が水平に設けられている。下階側の左右一対のスカートガード４４，４４の乗降口であって、機械室１６の天井面には、下階側の乗降板３４が水平に設けられている。上階側の乗降板３２の先端には櫛歯状のコム６０が設けられ、このコム６０に踏段３０が侵入する。また、下階側の乗降板３４の先端にも櫛歯状のコム６２が設けられている。
【００１８】
手摺ベルト殺菌装置５１は殺菌部５１１と報知部５９と殺菌制御部５１２とを有している。
【００１９】
殺菌部５１１は、手摺ベルト３８を殺菌する装置である。殺菌部５１１は、深紫外線ＬＥＤモジュールを具備している。殺菌部５１１の深紫外線ＬＥＤモジュールは、手摺ベルト３８の表面に紫外線を照射することで、殺菌をする。
【００２０】
殺菌制御部５１２は、乗客コンベア１０の運行速度に基づいて、殺菌部５１１を制御する装置である。殺菌制御部５１２は、制御部５０から運行速度の情報（運行速度情報）を取得する。本実施形態の乗客コンベア１０の制御部５０は、乗客が踏段３０にいる場合は通常運行（例えば、３０ｍ／分の運行速度）とし、乗客が踏段３０にいない場合は低速運行（例えば、１０ｍ／分の運行速度）とする制御を行う。以下の実施形態では、低速運行などの通常運行以外の運行状態を非通常運行とし、非通常運行時の運行速度を非通常運行速度とする。
【００２１】
殺菌制御部５１２は、乗客コンベア１０の運行速度情報を取得し、運行速度ごとに殺菌部５１１を制御する。なお、制御部５０と殺菌制御部５１２とは、同一の制御部として存在しても良い。
【００２２】
報知部５９は手摺ベルト３８の殺菌についての情報を報知する装置であり、報知部５９は、スピーカ５４，５８による音声の報知や、スカートガード４４の側面に設けられた表示装置５９１，５９２による報知、正面スカートガード４０，４２に設けられた表示部５９３による報知などがある。
【００２３】
（第１の実施形態）
以下、本実施形態の乗客コンベア用の手摺ベルト殺菌装置５１の構造について、図２〜図５を用いて説明をする。
【００２４】
図２は第１の実施形態に係る手摺ベルト殺菌装置５１の殺菌部５１１の配置図である。図２に示すように、殺菌部５１１は、乗客コンベア１０のスカートガード４４の内部に設けられており、スカートガード４４の内部を走行する手摺ベルト３８の表面を殺菌する。
【００２５】
殺菌部５１１の設置場所は、一例として、図１および図２のようにスカートガード４４の上階側の先端部、または下階側の先端部の少なくともいずれかにおいても良い。
【００２６】
殺菌部５１１はスカートガード４４の上階側の先端部または下階側の先端部の内、手摺ベルト３８の出口側に設けると、殺菌済みの手摺ベルト３８をインレット部４６（４８）からすぐに射出することができ、効果的である。
【００２７】
図３は、図２のＡ，Ａ’間における手摺ベルト３８および殺菌部５１１の断面図である。手摺ベルト３８と殺菌部５１１との距離はおよそ１５０ｍｍ程度である。図３に示すように、殺菌部５１１は、紫外線（図３の矢印）を手摺ベルト３８の表面、即ち、乗客が手を添える面に照射して殺菌を行う。なお、図３に示すように、手摺ベルト３８を囲むように殺菌部５１１Ｒ，５１１Ｌを配置しても良い。
【００２８】
図４は第１の実施形態に係る手摺ベルト殺菌装置５１（図４中の破線部）の構成のブロック図である。本実施形態の手摺ベルト殺菌装置５１は、殺菌部５１１と殺菌制御部５１２と報知部５９とを有している。また、手摺ベルト殺菌装置５１は、殺菌部５１１による殺菌に基づく時刻を取得するタイマー５１３を有していても良い。タイマー５１３は、殺菌制御部５１２に組み込まれていてもよく、殺菌制御部５１２とは別に設けられていても良い。
【００２９】
殺菌制御部５１２は、制御部５０から乗客コンベア１０の運行速度情報を受信する。運行速度情報が通常運行から低速運行（非通常運行）に切替わった場合、殺菌制御部５１２は、殺菌部５１１に殺菌処理を行う信号を送信し、報知部５９に殺菌の情報を報知させる。本実施形態における報知部５９はスピーカ５４，５８であり、報知部５９は殺菌部５１１による殺菌に基づく情報を、音声により報知する。
【００３０】
スピーカ５４，５８による殺菌に基づく情報の報知は、一例として、「現在、手摺を殺菌中です。」と音声にて報知する等である。
【００３１】
図５は第１の実施形態に係る手摺ベルト殺菌装置５１の処理のフローチャート図である。以下、図５を用いて、本実施形態に係る手摺ベルト殺菌装置５１の処理手順を詳述する。
【００３２】
殺菌制御部５１２は、乗客コンベア１０が低速運転をしているか判定を行う（ステップＳ１００）。乗客コンベア１０が低速運転をしていないとき（ステップＳ１００のＮＯ）、即ち、通常運転であるときは、随時乗客コンベア１０が低速運転をしているか否かを判定する（ステップＳ１００）。
【００３３】
乗客コンベア１０が低速運転をしているとき（ステップＳ１００のＹＥＳ）、殺菌制御部５１２は殺菌部５１１に殺菌処理を行わせる（ステップＳ１０１）。そして、殺菌制御部５１２は報知部５９（スピーカ５４、５８）に殺菌情報（殺菌に基づく情報）を報知させる（ステップＳ１０２）。
【００３４】
殺菌制御部５１２は、乗客コンベア１０が低速運転から通常運転に切替えを行ったか判定を行う（ステップＳ１０３）乗客コンベア１０が通常運転に切替えを行っていないとき（ステップＳ１０３のＮＯ）、即ち、低速運転であるときは、殺菌処理を継続する（ステップＳ１０１）。
【００３５】
乗客コンベア１０が通常運転に切替えを行ったとき（ステップＳ１０３のＹＥＳ）、殺菌制御部５１２は殺菌部５１１に殺菌処理を終了させる（ステップＳ１０４）。
【００３６】
（第１の実施形態の変形例）
第１の実施形態の変形例は報知部５９に殺菌の時刻についての情報（時刻情報）を報知する。本変形例は、手摺ベルト殺菌装置５１はタイマー５１３を有している。図４において、殺菌制御部５１２は、殺菌部５１１に殺菌処理をさせた時刻をタイマー５１３から取得する。また、殺菌制御部５１２は、乗客コンベア１０が低速運転（非通常運行）から通常運転に切替わった場合、殺菌部５１１に殺菌処理を終了させ、この時の時刻をタイマー５１３から取得する。
【００３７】
図６は、本変形例に係る手摺ベルト殺菌装置５１の処理のフローチャート図である。以下、図６を用いて、第１の実施形態の変形例に係る手摺ベルト殺菌装置５１の処理手順を詳述する。ただし、図６中のステップＳ１００〜ステップＳ１０４は図５のフローチャートと同様の処理である。
【００３８】
殺菌制御部５１２は、乗客コンベア１０が低速運転をしているか判定を行い、低速運転をしているとき（ステップＳ１００のＹＥＳ）、タイマー５１３に殺菌処理を開始するときの時刻を取得させる（ステップＳ２００）。その後、殺菌処理（ステップＳ１０１）および殺菌情報の報知処理（ステップＳ１０２）を行った後、殺菌制御部５１２は、乗客コンベア１０が低速運転から通常運転に切替えを行ったか判定を行う（ステップＳ１０３）。乗客コンベア１０が通常運転に切替えを行ったとき（ステップＳ１０３のＹＥＳ）、殺菌制御部５１２は、殺菌部５１１に殺菌処理を終了させ（ステップＳ１０４）、タイマー５１３に殺菌処理を終了するときの時刻を取得させる（ステップＳ２０１）。殺菌制御部５１２は、報知部５９（スピーカ５４、５８）に時刻情報を報知させる（ステップＳ２０２）。殺菌処理の開始時刻の取得処理（ステップＳ２００）と殺菌処理の終了時刻の取得処理（ステップＳ２０１）とを時刻情報取得処理とする。
【００３９】
時刻情報の報知とは、殺菌処理を開始した時刻、殺菌処理をした時間を報知することである。一例として、「このエスカレータの手摺は１：３０から５分間殺菌しました。」と音声にて報知する等である。
【００４０】
以上により、本実施形態の乗客コンベアの手摺ベルト殺菌装置は、深紫外線ＬＥＤモジュールによる手摺の殺菌を可能にし、利用者に殺菌処理を認識させることで手摺を掴むことを促すことができる。また、深紫外線ＬＥＤモジュールによる手摺の殺菌を非通常運行時のみとすることで、深紫外線ＬＥＤモジュールの長寿命化、低消費電力化を図ることもできる。
【００４１】
（第２の実施形態）
第２の実施形態の手摺ベルト殺菌装置５１は、報知部５９を表示パネル５９１、ＬＥＤランプ５９２を用いて視覚的に報知したものである。以下、本実施形態の乗客コンベア用の手摺ベルト殺菌装置５１の構造について、図７を用いて説明をする。
【００４２】
図７は第２の実施形態に係る手摺ベルト殺菌装置５１の報知部５９の配置図である。図７（ａ）は報知部５９として、表示パネル５９１をスカートガード４４に配置している。図７（ｂ）は報知部５９として、ＬＥＤランプ５９２をスカートガード４４に配置している。なお、殺菌部５１１の配置は図２および図３と同様である。
【００４３】
図７（ａ）の表示パネル５９１は、殺菌部５１１が殺菌処理を行っている間は「殺菌中」の文字を表示して、乗客コンベア１０の近くにいる利用者に手摺を殺菌していることを報知する。図７（ｂ）のＬＥＤランプ５９２は、殺菌部５１１が殺菌処理を行っている間は点灯し、利用者に手摺を殺菌していることを報知する。
【００４４】
本実施形態は、乗客コンベア１０が通常運転から低速運転（非通常運行）に切替わり、殺菌処理を開始すると、表示パネル５９１が表示され、または、ＬＥＤランプ５９２が点灯する。乗客コンベア１０が低速運転（非通常運行）から通常運転に切替わり、殺菌処理が終了すると、表示パネル５９１の表示が消える、または、ＬＥＤランプ５９２が消灯する。
【００４５】
また、報知部５９は、表示パネル５９１または、ＬＥＤランプ５９２による報知と併用して、スピーカ５４，５８による音声の報知をしても良い。
【００４６】
第１の実施形態の変形例のように、時刻情報について報知しても良い。表示パネル５９１を用いた場合は、表示パネル５９１に殺菌処理を開始した時刻、殺菌処理をした時間を報知する。一例として、「このエスカレータの手摺は１：３０から５分間殺菌しました。」と表示する。ＬＥＤランプ５９２を用いた場合は、第１の実施形態の変形例と同様にスピーカ５４，５８による音声の報知を用いる。
【００４７】
なお、本実施形態に係る手摺ベルト殺菌装置５１の構成のブロック図は図４と同様である。本実施形態に係る手摺ベルト殺菌装置５１の処理のフローチャート図は第１の実施形態（図５）および第１の実施形態の変形例（図６）と同様である。
【００４８】
以上により、本実施形態の乗客コンベアの手摺ベルト殺菌装置は、深紫外線ＬＥＤモジュールによる手摺の殺菌を可能にし、利用者に殺菌処理を認識させることで手摺を掴むことを促すことができる。また、深紫外線ＬＥＤモジュールによる手摺の殺菌を非通常運行時のみとすることで、深紫外線ＬＥＤモジュールの長寿命化、低消費電力化を図ることもできる。
【００４９】
（第３の実施形態）
第３の実施形態の手摺ベルト殺菌装置５１は、スカートガード４４の正面部（正面スカートガード４０，４２）であって、インレット部４６，４８から下方に設けられた表示パネル５９３を報知部５９としている。以下、本実施形態の乗客コンベア用の手摺ベルト殺菌装置５１の構造について、図８を用いて説明をする。
【００５０】
図８は第３の実施形態に係る手摺ベルト殺菌装置５１の報知部５９の配置図である。殺菌部５１１の配置は図２および図３と同様である。図８（ａ）は報知部５９として、表示パネル５９３を正面スカートガード４０（４２）に配置している。
【００５１】
図８（ｂ）〜（ｄ）は表示パネル５９３の表示態様を示している。図８（ｂ）の表示は、乗降板３２（３４）の乗客に進入可能を表示する態様である。図８（ｃ）の表示は、殺菌部５１１による殺菌処理をしている間、乗客コンベア１０の近くにいる利用者に、手摺を殺菌している旨を報知する態様である。図８（ｄ）の表示は、乗客コンベア１０が通常運転している際に、乗客コンベア１０に乗り込もうとしている利用者に、殺菌済みを表示する態様である。即ち、図８（ｃ）は殺菌処理中に、殺菌に基づく情報を表示する態様であり、図８（ｄ）は殺菌に基づく情報に加えて、時刻情報を表示した態様である。
【００５２】
本実施形態は、乗客コンベア１０が通常運転から低速運転（非通常運行）に切替わり、殺菌処理を開始すると、表示パネル５９３は図８（ｂ）の態様から図８（ｃ）の態様に切替える。図８（ｂ）と図８（ｃ）との表示を所定の時間（例えば５秒）ごとに切替えても良い。
【００５３】
本実施形態は、乗客コンベア１０が低速運転（非通常運行）から通常運転に切替わり、殺菌処理を終了すると、表示パネル５９３は図８（ｂ）の態様と図８（ｄ）との態様の切替えを行う。ただし、図８（ｂ）、図８（ｃ）の表示の態様は一例であり、この表示態様に限定はされない。
【００５４】
また、報知部５９は、表示パネル５９３と併用して、スピーカ５４，５８による音声の報知をしても良い。
【００５５】
なお、本実施形態に係る手摺ベルト殺菌装置５１の構成のブロック図は図４と同様である。本実施形態に係る手摺ベルト殺菌装置５１の処理のフローチャート図は第１の実施形態（図５）および第１の実施形態の変形例（図６）と同様である。図５および図６の殺菌情報報知処理（ステップＳ１０２）では図８（ｂ）の表示を行う。図６の時刻情報報知処理（ステップＳ２０２）は図８（ｃ）の表示を行う。
【００５６】
以上により、本実施形態の乗客コンベアの手摺ベルト殺菌装置は、深紫外線ＬＥＤモジュールによる手摺の殺菌を可能にし、利用者に殺菌処理を認識させることで手摺を掴むことを促すことができる。また、深紫外線ＬＥＤモジュールによる手摺の殺菌を非通常運行時のみとすることで、深紫外線ＬＥＤモジュールの長寿命化、低消費電力化を図ることもできる。
【００５７】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１…建屋
２，３…支持アンクル
１０…乗客コンベア
１２…トラス
１４…機械室
１６…機械室
１８…駆動装置
２０…モータ
２２…駆動チェーン
２４…駆動スプロケット
２５…案内レール
２６…従動スプロケット
２７…手摺ベルトシーブ
２８…踏段チェーン
３０…踏段
３０１…前輪
３０２…後輪
３１…踏段前輪レール
３２…乗降板
３４…乗降板
３６…欄干
３８…手摺ベルト
３９…手摺レール
４０，４２…正面スカートガード
４４…スカートガード
４６，４８…インレット部
５０…制御部
５１…手摺ベルト殺菌装置
５１１…殺菌部
５１２…殺菌制御部
５１３…タイマー
５２，５６…操作盤
５４，５８…スピーカ（報知部）
５９…報知部
５９１…表示パネル
５９２…ＬＥＤランプ
５９３…表示パネル
６０，６２…櫛歯状のコム
６４…案内ローラ群
６６…案内ローラ群
６８…押圧ローラ群
【図１】
2019052021.tif 000003
【図２】
2019052021.tif 000004
【図３】
2019052021.tif 000005
【図４】
2019052021.tif 000006
【図５】
2019052021.tif 000007
【図６】
2019052021.tif 000008
【図７】
2019052021.tif 000009
【図８】
2019052021.tif 000010
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
乗客コンベアのスカートガードの内部に設けられ、前記スカートガードの内部を走行する手摺ベルトの表面を殺菌する殺菌部と、
前記殺菌部による殺菌に基づく情報を報知する報知部と、
前記乗客コンベアの運行速度情報を取得し、運行速度ごとに前記殺菌部による殺菌および前記報知部による報知を制御する制御部と、
前記殺菌部による殺菌に基づく時間を取得するタイマーと、
を具備し、
前記制御部は、前記タイマーが取得した前記時間を前記報知部により報知させる、
乗客コンベアの手摺ベルト殺菌装置。
【請求項２】
前記制御部は、前記乗客コンベアの通常運行と非通常運行との切替えに基づいて、前記殺菌部による殺菌および前記報知部による報知を制御する、
請求項１に記載の乗客コンベアの手摺ベルト殺菌装置。
【請求項３】
前記殺菌部は深紫外線ＬＥＤモジュールを具備し、前記スカートガードの上階側の先端部または下階側の先端部の少なくともいずれかに設けられている、
請求項１乃至請求項２のいずれか１項に記載の乗客コンベアの手摺ベルト殺菌装置。
【請求項４】
前記殺菌部は深紫外線ＬＥＤモジュールを具備し、前記スカートガードの上階側の先端部または下階側の先端部の内、前記手摺ベルトの出口側に設けられている、
請求項１乃至請求項２のいずれか１項に記載の乗客コンベアの手摺ベルト殺菌装置。
【請求項５】
前記報知部は、前記殺菌部による殺菌に基づいて、前記スカートガードに設けられたスピーカにより、音声にて殺菌の情報を報知する、
請求項１乃至請求項４のいずれか１項に記載の乗客コンベアの手摺ベルト殺菌装置。
【請求項６】
前記報知部は、前記殺菌部による殺菌に基づいて、前記スカートガードに設けられた表示パネルにより、殺菌の情報を報知する、
請求項１乃至請求項４のいずれか１項に記載の乗客コンベアの手摺ベルト殺菌装置。
【請求項７】
前記報知部は、前記殺菌部による殺菌が行われているときに、前記スカートガードに設けられたＬＥＤランプの点灯により、殺菌中であることを報知する、
請求項１乃至請求項４のいずれか１項に記載の乗客コンベアの手摺ベルト殺菌装置。
【請求項８】
前記報知部は、前記殺菌部による殺菌に基づいて、前記スカートガードのインレット部から下方に設けられた表示パネルにより、殺菌の情報を報知する、
請求項１乃至請求項４のいずれか１項に記載の乗客コンベアの手摺ベルト殺菌装置。
【請求項９】
乗客の有無により運行速度を制御することが可能である乗客コンベアであって、
前記運行速度ごとに、スカートガードの内部を走行する手摺ベルトの表面を深紫外線ＬＥＤモジュールにより殺菌する殺菌処理と、前記殺菌処理に基づく情報を報知する報知処理と、を前記運行速度に基づいて制御し、
前記殺菌処理に基づく時間を取得する時刻情報取得処理を有し、
前記報知処理にて、前記時刻情報取得処理にて取得した時間を報知する、
乗客コンベア。
【請求項１０】
前記報知処理は、前記スカートガードに設けたられたスピーカによる音声の報知、前記スカートガードに設けたられた表示パネルによる報知、前記スカートガードに設けたられたＬＥＤランプによる報知、前記スカートガードのインレット部から下方に設けられた表示パネルによる報知、の少なくともいずれかの処理による、
請求項９に記載の乗客コンベア。
【手続補正２】
【補正対象書類名】明細書
【補正対象項目名】０００６
【補正方法】変更
【補正の内容】
【０００６】
上記課題を解決するため、実施形態の乗客コンベアの手摺ベルト殺菌装置は、乗客コンベアのスカートガードの内部に設けられ、前記スカートガードの内部を走行する手摺ベルトの表面を殺菌する殺菌部と、前記殺菌部による殺菌に基づく情報を報知する報知部と、前記乗客コンベアの運行速度情報を取得し、運行速度ごとに前記殺菌部による殺菌および前記報知部による報知を制御する制御部と、前記殺菌部による殺菌に基づく時間を取得するタイマーと、を具備し、前記制御部は、前記タイマーが取得した前記時間を前記報知部により報知させる。
【手続補正３】
【補正対象書類名】明細書
【補正対象項目名】０００７
【補正方法】変更
【補正の内容】
【０００７】
上記課題を解決するため、実施形態の乗客コンベアは、乗客の有無により運行速度を制御することが可能である乗客コンベアであって、前記運行速度ごとに、スカートガードの内部を走行する手摺ベルトの表面を深紫外線ＬＥＤモジュールにより殺菌する殺菌処理と、前記殺菌処理に基づく情報を報知する報知処理と、を前記運行速度に基づいて制御し、前記殺菌処理に基づく時間を取得する時刻情報取得処理を有し、前記報知処理にて、前記時刻情報取得処理にて取得した時間を報知する。